(57)【要約】【課題】  現像装置に隣接あるいは内蔵できる帯電状態測定装置を提供する。【解決手段】  非対称電圧波形発生電源２４と直流電圧波形発生電源２５とに接続されかつ互いに空間を隔てて平行に配置された第１電極２１および第２電極２２と、トナー担体２上に帯電したトナーを電極間に導入するトナー導入口２０ａと、トナーを搬送するための大気圧空気を導くために、トナー導入口に隣接して設けられた空気導入口２０ｂと、電極間から特定のイオン移動度を有するトナー粒子を含んだ空気を排出する空気排出口２０ｄと、電極間を通過したトナー粒子を排出するトナー排出口２０ｃと、トナー排出口２０ｃから出てきた帯電トナー粒子を捕捉するために空気排出口２０ｄの下流に配置されるファラデーカップ２３と、ファラデーカップ２３に蓄えられた電荷を定量するために接続されるエレクトロメータ２６と、を有して構成される。【選択図】  図２
2006214975.tif 000002
【特許請求の範囲】
【請求項１】
現像装置内の像担持体上に帯電したトナーの帯電状態を測定する帯電状態測定装置であって、
非対称電圧波形発生電源と、直流電圧波形発生電源と、に接続され、かつ互いに空間を隔てて平行に配置された第１電極および第２電極と、
前記像担持体上に帯電したトナーを、前記第１電極と前記第２電極との電極間に導入するトナー導入口と、
前記トナーを搬送するための大気圧空気を導くために、前記トナー導入口に隣接して設けられる空気導入口と、
前記電極間から特定のイオン移動度を有するトナー粒子を含んだ空気を排出する空気排出口と、
前記電極間を通過したトナー粒子を排出するトナー排出口と、
前記トナー排出口から出てきた帯電トナー粒子を捕捉するために前記空気排出口の下流に配置されるファラデーカップと、
前記ファラデーカップに蓄えられた電荷を定量するために接続されるエレクトロメータと、を有することを特徴とする帯電状態測定装置。
【請求項２】
前記第１電極を共通電極とし、前記第２電極は、前記第１電極の両面に設けられることを特徴とする請求項１記載の帯電状態測定装置。
【請求項３】
前記第１電極と前記第２電極とは、直径の異なる同心円筒状に配置されていることを特徴とする請求項１記載の帯電状態測定装置。
【請求項４】
複数の各々独立した前記直流電圧波形発生電源と複数の前記第２電極とを備え、前記複数の第２電極には、直流電圧波形と非対称電圧波形とを重畳した電圧が印加されることを特徴とする請求項１記載の帯電状態測定装置。
【請求項５】
前記第１電極と前記第２電極とには、トナーの粒子径より大きな開口部、あるいは、トナーの粒子径より大きな溝部が設けてあることを特徴とする請求項１から４の何れか１項に記載の帯電状態測定装置。
【請求項６】
前記第１電極と前記第２電極とに設けられた開口部から電界の作用で電極間領域の外に除かれたトナー粒子は、前記空気排出口から空気と共に排出されることを特徴とする請求項１記載の帯電状態測定装置。
【請求項７】
前記空気導入口および前記空気排出口は、複数個設けられていることを特徴とする請求項１記載の帯電状態測定装置。
【請求項８】
請求項１から７の何れか１項に記載の帯電状態測定装置を備える現像装置であって、
前記帯電状態測定装置の具備する前記像担持体は、帯電トナー粒子の一部を前記帯電状態測定装置に導くためのトナー採集口を設けていることを特徴とする現像装置。
【請求項９】
前記トナー採集口は、前記像担持体に複数個、設けられていることを特徴とする請求項８記載の現像装置。
【請求項１０】
トナー粒子を回収するトナー回収装置を有し、
前記空気排出口から空気とともに排出されたトナー粒子は、前記トナー回収装置が回収し、該回収したトナー粒子を再び利用することを特徴とする請求項８記載の現像装置。
【請求項１１】
前記帯電状態測定装置を複数個備えていることを特徴とする請求項８記載の現像装置。
【発明の詳細な説明】
【技術分野】
【０００１】
本発明は、複写機、プリンタ等の画像形成装置において、電子写真方式の静電潜像画像を可視化する現像工程に適用可能なトナーの帯電状態を測定する帯電状態測定装置およびこれを備えた現像装置に関するものである。
【背景技術】
【０００２】
従来から、トナー粒子の帯電量を安定化させるために、トナー粒子や添加剤の改良が続けられている。また、静電潜像を現像後、画像濃度をセンサで確認し、トナーの帯電条件を制御して、トナーの帯電量を一定にする方法も提案されている（例えば、特許文献１〜特許文献１０および非特許文献１、２参照）。
【特許文献１】特開平１０−２８８６００号公報
【特許文献２】特開平１１−２６４７９０号公報
【特許文献３】特開２０００−０４６７２０号公報
【特許文献４】特開２００２−５２２８７３号公報
【特許文献５】特開平０８−２８６４４１号公報
【特許文献６】特開２００４−２１９８２０号公報
【特許文献７】特開平０６−３０８７６０号公報
【特許文献８】特開２００２−３４１６６２号公報
【特許文献９】特開平１０−２８８６０１号公報
【特許文献１０】特開平０８−５４３７３号公報
【非特許文献１】イー・エー・メーソンおよびイー・ダブリュ・マックダニエル、「ガス中のイオンの搬送特性」、ウィリー（Ｗｉｌｅｙ）、ニューヨーク（Ｎｅｗ  Ｙｏｒｋ）（１９８８）
【非特許文献２】アイ・エー・ブリヤコフ（Ｉ．Ａ．Ｂｕｒｙａｋｏｖ）、イー・ヴィ・クリロフ（Ｅ．Ｖ．Ｋｒｙｌｏｖ）、イー・ジー・ナザロフ（Ｅ．  Ｇ．  Ｎａｚａｒｏｖ）、ユー・ケーエッチ・ラズレフ(Ｕ．Ｋｈ．Ｒａｓｕｌｅｖ)、「高周波増幅−非対称強電界を使用する大気圧での移動度による多原子イオンの新規な分離方法」、インターナショナル・ジャーナル・オブ・マス・スペクトロメトリ・アンド・プロセシーズ(Ｉｎｔｅｒｎａｔｉｏｎａｌ  Ｊｏｕｒｎａｌ ｏｆ  Ｍａｓｓ  Ｓｐｅｃｔｒｏｍｅｔｒｙ  ａｎｄ  Ｉｏｎ  Ｐｒｏｃｅｓｓｅｓ １２８，  ｐ． 1４３−ｐ．１４８)（１９９３）
【０００３】
なお、電子写真方式で高品質の画像を得る上で、トナーに一定の帯電特性を常に持たせることは、極めて重要である。しかし、トナーに一定の帯電特性を常に持たせることは非常に難しい。現在、トナーは、「２成分トナー」と「１成分トナー」の２種類に大別される。
【０００４】
２成分トナーは熱可塑性樹脂に着色剤を混合分散後に微粉化したものなどでできたトナーと、微粉末状のガラスビーズや鉄粉などでできたキャリアとからなる混合物である。この混合粉体を攪拌し、相互を摩擦することにより、トナー粒子が、静電像電荷と逆極性の電荷を受け取る。
【０００５】
この場合、トナーとキャリア間の相互摩擦が長期に渡ると、キャリア表面がトナーの組成物によって汚染され、十分な電荷を獲得できなくなる。あるいは、長期間の使用中に、トナーとキャリアの混合比が変動し、トナーの帯電特性も変化するという問題が生じていた。
【０００６】
また、１成分トナーは、２成分トナーのようにキャリアを含まず、トナーのみからなる粉体である。そして、このトナーを、トナー担体表面に均一に薄く塗布し、弾性ブレードでトナー担体表面を摩擦することより、トナー粒子が、静電像電荷と逆極性の電荷を受け取る。
【０００７】
図１０は１成分トナーの金属性弾性ブレードによる摩擦帯電を説明する概略図である。上述したように、このトナー５をトナー担体２表面に均一に薄く塗布し、金属性弾性ブレード３でトナー担体２表面を摩擦する。摩擦帯電部４で帯電されたトナー５は静電潜像保持体１上に付着する。
【０００８】
この場合、空気が乾燥していると帯電量が過剰になり、また、逆に湿っていると帯電量が不十分となるといった別の課題が生じることになる。このように、トナー自体が劣化する、あるいは、帯電機構が湿度変動を受けるため、静電潜像の現像に最適に帯電したトナーを、常に安定して得ることは難しかった。
【０００９】
また、１成分および２成分の両種のトナーには、帯電極性や帯電量を決める電荷制御剤、あるいは、トナー同士が固着し凝集するのを防ぐ流動性付与剤等の添加剤がトナー粒子表面に付着させられている。これらのうち、未付着なものが凝固し、トナー粒子の帯電を不安定化させる弊害も生じていた。
【００１０】
従来、トナー粒子の帯電量を安定化させるために、トナー粒子や添加剤の改良が続けられている。また、静電潜像を現像後、画像濃度をセンサで確認し、トナーの帯電条件を制御して、トナーの帯電量を一定にする方法も提案されている。
【００１１】
トナーの帯電条件を適正に制御するには、トナー帯電量を正確に知ることが必要である。主な測定方法としては、３つの方法、すなわち、ブローオフ法、Ｅ−ＳＰＡＲＴ法、微分型静電分球法が知られている。
【００１２】
ブローオフ法は、２成分トナーの帯電量を測定するものである。これはトナーをキャリアから吹き飛ばし分離すことにより、分離前のトナーとキャリアの電気的中性条件からずれた電荷を検出する。
【００１３】
図１１はＥ−ＳＰＡＲＴ法の測定原理を示す概略斜視図である。Ｅ−ＳＰＡＲＴ法は、電気単一粒子空気緩和時間(Ｅｌｅｃｔｒｉｃａｌ  Ｓｉｎｇｌｅ Ｐａｒｔｉｃｌｅ  Ａｅｒｏｄｙｎａｍｉｃ Ｒｅｌａｘａｔｉｏｎ  Ｔｉｍｅ)の省略形である。
【００１４】
この方法を実施する装置は、図１１に示すように、容器６に音響振動板７を対向配置し、これらの音響振動板７にそれぞれ電極８を配置する。音響振動板７と直交する線の上下に粒子投入口１０およびこれに対向する位置に粒子排出口１１を設ける。前記直交線の交点上にトナー粒子９を置き、これにレーザ光を当てレーザドップラ振動計１２で観測する。
【００１５】
すなわち、電界中で音波により振動する帯電粒子をレーザドップラ振動計１２で観測する。電極への水平方向速度から粒子帯電量を、そして空気振動による粒子の水平方向速度の遅れから粒径を各々求める。
【００１６】
微分型電気移動度測定器としては、理化学研究所から、複数の出願がある（例えば、特許文献１〜３参照）。ＤＭＡはステンレス製の二重円筒電極と、ファラデーカップエレクトロメータとで構成されている。
【００１７】
直流の高電界を印加された二重円筒の隙間に、外筒に設けられたスリットから、シースガスとともに帯電した微粒子を流すことにより、粒子の持つ電気移動度を測定する。間隙で帯電粒子とシースガスとの間の相互作用により、外筒電極に到達するまでの距離が決まる。
【００１８】
ここで、最初に、本発明の前提となる、「高電界非対称波形イオン移動度分光法」について説明する。この方式の基となる現象は、１９６０年代にイー・エー・メーソン（Ｅ．  Ａ．  Ｍａｓｏｎ）とイー・ダブリュ・マックダニエル（Ｅ．Ｗ．ＭｃＤａｎｉｅｌ）により見出され、論理的な裏付けが開示されている。
【００１９】
要約すると、常圧下、高電界中（数十ｋＶ／ｃｍ）に置かれたイオンは、低電界中とは異なった物理的挙動を示すということである。これは、イオン種と中性ガス分子、両者の共有する性質を表す「イオンの移動度」や「イオンの拡散係数」が、電界方向に対して異方性を示し始めることに拠っている。詳細は、非特許文献１に開示されている。
【００２０】
その後、旧ロシアのアイ・エー・ブリヤコフ（Ｉ．Ａ．Ｂｕｒｙａｋｏｖ）等により、イオン・センサに応用する道が開かれた。詳細は、非特許文献２に開示されている。
【００２１】
図１２は印加電圧波形（高電界非対称波形）を示す波形図である。高電界非対称波形イオン移動度分光法の原理を以下で簡単に説明する。図１２に示すような非対称かつ平均強度がゼロのＲＦ電界をイオンの移動方向と直角に印加する。
【００２２】
このとき、イオン種の電界方向のドリフト速度Ｖｙは、イオン移動度Ｋと電界Ｅの積で与えられる。強い電界中でのイオン移動度は弱い電界中とは異なり、電界の関数となるので、電界の強いときと弱いときとでは、イオンの動く速さが異なる。
【００２３】
Ｖｙ  ＝Ｋ（Ｅ）・ＥＲＦ＝Ｋ１｜Ｅｍａｘ｜，Ｋ２｜Ｅｍｉｎ｜
Ｋ（Ｅ）＝K０［１＋・２E２＋・４E４＋…］＝Ｋ１（｜Ｅｍａｘ｜），  Ｋ２（｜
Ｅｍｉｎ｜）
【００２４】
１周期の間に、イオンが電界方向に動く距離（変位）ｙＲＦは、以下の式で表される。
【００２５】
ｙＲＦ＝Ｋ１｜Ｅｍａｘ｜ｔ１ ＋Ｋ２｜Ｅｍｉｎ｜ｔ２＝・（Ｋ１−Ｋ２）
【００２６】
この変位を打ち消すような直流電界ＥＣ（補償電界）を印加すれば、イオンは、あたかも電界の作用を全く受けないかのごとく振舞うことになる。すなわち、このイオン種はイオン・フィルタを無事に通過することができることになる。一方、他のイオン種は電極に吸着され、フィルタで除去される。
【００２７】
図１３は、イオンの変位量をグラフで示す図である。また、図１４は、イオンの変位量をグラフで示す図である。また、図１５は、イオン・フィルタを示す概念図である。図１３のグラフはイオンが除去される場合を、図１４のグラフはイオンが通過する場合を示している。図１５のイオン・フィルタは電圧源１３および電極１４から構成され、安定したイオンを検出器１４で検出するようになっている。
【００２８】
なお、携帯型ガス分析器や、質量分析装置のフロントエンド・フィルタとして、実用化されているものもある。携帯型ガス分析器は、フィルタ（分離部）に真空排気系を必要としない特長を生かし、有害化学物質の検出や宇宙船内の空気モニタとしての利用を狙っている（例えば、シオネックス・コーポレイション（Ｓｉｏｎｅｘ   Ｃｏｒｐｏｒａｔｉｏｎ）／米国）。
【００２９】
また、質量分析装置のフロントエンド・フィルタは、蛋白質の質量分析を、より高感度・高分解能化することを目的として、既に実用化されている（例えば、イオナリティクス・Ｉｏｎａｌｙｔｉｃｓ  Ｃｏｒｐｏｒａｔｉｏｎ）／カナダ）。
【００３０】
しかし、これらの方法では、電子写真方式で画像を形成する複写機、プリンタ等の動作中に、トナー粒子の帯電状態をリアルタイムで正確に知ることが困難であった。
【００３１】
ブローオフ法は、元々、その場測定のために開発された方式ではない。Ｅ−ＳＰＡＲＴ法はレーザ光、スピーカ、レーザドップラ振動計を必要とするので、装置が複雑で大型である。また、微分型静電分球法も、剛性を要する機構部分が多く、小型化には適していない。
【発明の開示】
【発明が解決しようとする課題】
【００３２】
このように、従来の測定は、トナー粒子を現像装置内から採取し、測定装置に運んで行われていた。つまり、実際に現像装置内に存在するトナーの帯電状態を知ることはできなかった。
【００３３】
本発明は、上記事情に鑑みてなされたものであり、現像装置に隣接あるいは内蔵できる小型の帯電量測定器、すなわち、高電界非対称波形イオン移動度分光法に基づいたセンサを内蔵する帯電状態測定装置およびこれを備えた現像装置を提供することを目的とするものである。
【課題を解決するための手段】
【００３４】
かかる目的を達成するために、本発明は以下の特徴を有することとする。
【００３５】
本発明にかかる帯電状態測定装置は、現像装置内の像担持体上に帯電したトナーの帯電状態を測定する帯電状態測定装置であって、非対称電圧波形発生電源と、直流電圧波形発生電源と、に接続され、かつ互いに空間を隔てて平行に配置された第１電極および第２電極と、像担持体上に帯電したトナーを、第１電極と第２電極との電極間に導入するトナー導入口と、トナーを搬送するための大気圧空気を導くために、トナー導入口に隣接して設けられる空気導入口と、電極間から特定のイオン移動度を有するトナー粒子を含んだ空気を排出する空気排出口と、電極間を通過したトナー粒子を排出するトナー排出口と、トナー排出口から出てきた帯電トナー粒子を捕捉するために空気排出口の下流に配置されるファラデーカップと、ファラデーカップに蓄えられた電荷を定量するために接続されるエレクトロメータと、を有することを特徴とするものである。
【００３６】
また、本発明にかかる帯電状態測定装置は、第１電極を共通電極とし、第２電極は、第１電極の両面に設けられることを特徴とするものである。
【００３７】
また、本発明にかかる帯電状態測定装置において、第１電極と第２電極とは、直径の異なる同心円筒状に配置されていることを特徴とするものである。
【００３８】
また、本発明にかかる帯電状態測定装置は、複数の各々独立した直流電圧波形発生電源と複数の第２電極とを備え、複数の第２電極には、直流電圧波形と非対称電圧波形とを重畳した電圧が印加されることを特徴とするものである。
【００３９】
また、本発明にかかる帯電状態測定装置は、第１電極と第２電極とには、トナーの粒子径より大きな開口部、あるいは、トナーの粒子径より大きな溝部が設けてあることを特徴とするものである。
【００４０】
また、本発明にかかる帯電状態測定装置は、第１電極と第２電極とに設けられた開口部から電界の作用で電極間領域の外に除かれたトナー粒子は、空気排出口から空気と共に排出されることを特徴とするものである。
【００４１】
また、本発明にかかる帯電状態測定装置において、空気導入口および空気排出口は、複数個設けられていることを特徴とするものである。
【００４２】
また、本発明にかかる現像装置は、上記記載の帯電状態測定装置を備える現像装置であって、帯電状態測定装置の具備する像担持体は、帯電トナー粒子の一部を帯電状態測定装置に導くためのトナー採集口を設けていることを特徴とするものである。
【００４３】
また、本発明にかかる現像装置において、トナー採集口は、像担持体に複数個、設けられていることを特徴とするものである。
【００４４】
また、本発明にかかる現像装置は、トナー粒子を回収するトナー回収装置を有し、空気排出口から空気とともに排出されたトナー粒子は、トナー回収装置が回収し、該回収したトナー粒子を再び利用することを特徴とするものである。
【００４５】
また、本発明にかかる現像装置は、上記記載の帯電状態測定装置を複数個備えていることを特徴とするものである。
【発明の効果】
【００４６】
本発明によれば、現像装置に隣接あるいは内蔵できる小型の帯電量測定器である帯電状態測定装置およびこれを備えた現像装置を提供することが可能となる。
【発明を実施するための最良の形態】
【００４７】
まず、図１、図２を参照しながら、本実施形態における帯電状態測定装置について説明する。
【００４８】
本実施形態における帯電状態測定装置は、図１に示すように、現像装置内の像担持体（２）上に帯電したトナーの帯電状態を測定する帯電状態測定装置（２０）であって、図２に示すように、非対称電圧波形発生電源（２４）と、直流電圧波形発生電源（２５）と、に接続され、かつ互いに空間を隔てて平行に配置された第１電極（２１）および第２電極（２２）と、像担持体（２）上に帯電したトナーを、第１電極（２１）と第２電極（２２）との電極間に導入するトナー導入口（２０ａ）と、トナーを搬送するための大気圧空気を導くために、トナー導入口（２０ａ）に隣接して設けられる空気導入口（２０ｂ）と、電極間（２１，２２）から特定のイオン移動度を有するトナー粒子を含んだ空気を排出する空気排出口（２０ｄ）と、電極間（２１，２２）を通過したトナー粒子を排出するトナー排出口（２０ｃ）と、トナー排出口（２０ｃ）から出てきた帯電トナー粒子を捕捉するために空気排出口（２０ｄ）の下流に配置されるファラデーカップ（２３）と、ファラデーカップ（２３）に蓄えられた電荷を定量するために接続されるエレクトロメータ（２６）と、を有することを特徴とするものである。これにより、現像装置に隣接あるいは内蔵できる帯電状態測定装置を提供することが可能となる。以下、添付図面を参照して、本実施形態における帯電状態測定装置およびこれを備えた現像装置について詳細に説明する。なお、図１は、現像装置に内蔵された帯電状態測定装置を示す概略図である。
【００４９】
図１に示すように、現像装置（全体としては図示せず）に組み込まれた帯電状態測定装置は、１成分トナー５がトナー担体２と金属製弾性ブレード３間の摩擦により帯電させられている。
【００５０】
摩擦帯電部４で電荷を与えられたトナー粒子は、トナー担体２に開けられた微小なトナー採集口（図中２ａの部分）から、帯電状態測定装置２０のトナー導入口２０ａへと導かれる。図中、符号１は静電潜像保持体を示し、５ａは静電潜像保持体に付着したトナー粒子を示している。
【００５１】
図２は、本実施形態における帯電状態測定装置の第１の形態の構造を示す概略側面図である。図３は、図２の帯電状態測定装置の断面図である。図２に示すように、トナー導入口２０ａから帯電状態測定装置２０内に入ったトナー粒子は空気導入口２０ｂから強制的に取り込まれた空気の作る気流とともに、第１電極２１および第２電極２２の間隙に送られる。
【００５２】
第１電極２１，第２電極２２間には、既に従来技術に関連して説明されたような非対称波形（図１０参照）と直流波形を重畳して電圧が印加されている。帯電したトナー粒子が第１電極２１および第２電極２２に平行に下流に向かってこれらの電極２１，２２間を移動する間に、変位量が電極間距離に達したものは、電極に付着する、あるいは、電極外に飛び出して除かれる。
【００５３】
そして、変位量が電極間距離に達しなかったトナー粒子のみが、トナー排出口２０ｃに置かれたファラデーカップ２３に捕捉され、電荷量が測られる。一方、電極外に除外されたトナー粒子は、空気排出口２０ｄから、空気の流れとともに排出される。図中、符号２４は非対称波形発生用電源、２５は直流電源、２６はファラデーカップ２３に接続された電荷量を測定するためのエレクトロメータである。
【００５４】
なお、印加する電圧は、第１電極２１および第２電極２２間の距離や空気の流量に合わせて、最適な条件を選ぶ必要がある。例えば、電極間距離を１ｃｍにした場合、周波数１ＭＨｚで非対称印加電圧の最大振幅２ｋＶを発生できる非対称波形発生用電源２４、最大２００Vまでの直流電源２５を用意しておけば、帯電トナー粒子の大気圧下での電気移動を測ることができる。
【００５５】
帯電トナーの電気移動度の分布は、直流電源２５によるバイアス電圧を操作させることで得られる。第１電極２１および第２電極２２へのトナー粒子の吸着は、帯電状態測定装置２０の維持管理上、好ましくないので、これらの電極に細かい穴を多数明けて置くか、網状電極を使用することが多い。
【００５６】
トナー粒径より穴の大きさを大きくしておけば、変位量が電極間距離に達したトナー粒子は、電極に吸着されず、速やかに電極外の気流に乗って、空気排出口２０ｄから、帯電状態測定装置２０の外に排出される。なお、電極外空気とともに排出されたトナー粒子を、再度、現像装置に循環することもできる。
【００５７】
図４は、本実施形態における帯電状態測定装置の第２の形態の構造を示す概略図である。この第２の形態において、第１電極２１および第２電極２２は、同心円上に配置された円筒体形状で構成される。
【００５８】
被測定粒子であるトナーは、この２つの円筒体２１，２２の隙間に印加された電界によって分離される。空気の導入口と排出口は、図示してないが二重になった電極円筒体２１，２２の外側と内側に各々設けられている。図には、非対称波形発生用電源２４および直流電源２５を示している。
【００５９】
図５は、電極構造の第１の形態を図２で示したトナー排出口から見た状態で示す概略図である。図６は、図５の第１の形態を流路上面から見た概略図である。図５および図６を参照して、各々独立した複数の直流電源２５と、第２電極２２と、ファラデーカップ２３と、を有する帯電状態測定装置の電極構造について説明する。
【００６０】
各第２電極２２には、異なる直流電源２５によるバイアス電圧と、非対称波形発生用電源２４から共通の非対称波形電圧と、が重畳されて印加される。異なるバイアス状態にある第１電極２１および第２電極２２の対は、互いに隔壁で仕切られている。こうした構造をとることにより、バイアス電圧を掃引させることなく、電気移動度の分布を、短時間のうちに把握することができる。
【００６１】
図７は、電極構造の第２の形態を図２で示したトナー排出口から見た状態で示す概略図である。図５と同じく、各々独立した複数の直流電源２５と、第２電極２２と、ファラデーカップ（図示せず）と、を有する帯電状態測定装置である。
【００６２】
この第２の形態の場合、第２電極２２は第１電極２１の両側に設けられている点が特徴である。これにより、採集できる帯電トナーの量を増やすことができ、測定感度を上げることができる。
【００６３】
図８は、現像装置のトナー担体に開けられたトナー採集口を示す概略図である。
現像装置内のトナー担体２に設けられたトナー採集口２ａの大きさは、トナー粒子が通過できる大きさである。
【００６４】
図９は、多数のトナー採集口を有する現像装置のトナー担体を示す概略斜視図である。図９では、円筒形のトナー担体２に、複数のトナー採集口２ａが設けられている。静電潜像を保持した感光体（図示せず）は画像の幅の大きさを有するので、主走査方向に沿って、トナー採集口２ａを配置しておくことは、トナーで可視化後にムラの無い画像を得る上で重要となる。
【００６５】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【図面の簡単な説明】
【００６６】
【図１】現像装置に内蔵された帯電状態測定装置を示す概略図である。
【図２】本実施形態における帯電状態測定装置の第１の形態の構造を示す概略側面図である。
【図３】図２に示す帯電状態測定装置の断面図である。
【図４】本実施形態における帯電状態測定装置の第２の形態の構造を示す概略図である。
【図５】電極構造の第１の形態を、図２で示したトナー排出口から見た状態で示した概略図である。
【図６】図５に示す第１の形態を流路上面から見た概略図である。
【図７】電極構造の第２の形態を図２で示したトナー排出口から見た状態で示した概略図である。
【図８】現像装置のトナー担体に開けられたトナー採集口を示す概略図である。
【図９】多数のトナー採集口を有する現像装置のトナー担体を示す概略斜視図である。
【図１０】１成分トナーの金属性弾性ブレードによる摩擦帯電を説明する概略図である。
【図１１】Ｅ−ＳＰＡＲＴ法の測定原理を示す概略斜視図である。
【図１２】印加電圧波形（高電界非対称波形）を示す波形図である。
【図１３】イオンの変位量をグラフで示す図である。
【図１４】イオンの変位量をグラフで示す図である。
【図１５】イオン・フィルタを示す概念図である。
【符号の説明】
【００６７】
２    トナー担体
２ａ    トナー採集口
２０    帯電状態測定装置
２０ａ    トナー導入口
２０ｂ    空気導入口
２０ｃ    トナー排出口
２０ｄ    空気排出口
２１    第１電極
２２    第２電極
２３    ファラデーカップ
２４    非対称電圧波形発生電源
２５    直流電圧波形発生電源（直流電源）
２６    エレクトロメータ
【図１】
2006214975.tif 000003
【図２】
2006214975.tif 000004
【図３】
2006214975.tif 000005
【図４】
2006214975.tif 000006
【図５】
2006214975.tif 000007
【図６】
2006214975.tif 000008
【図７】
2006214975.tif 000009
【図８】
2006214975.tif 000010
【図９】
2006214975.tif 000011
【図１０】
2006214975.tif 000012
【図１１】
2006214975.tif 000013
【図１２】
2006214975.tif 000014
【図１３】
2006214975.tif 000015
【図１４】
2006214975.tif 000016
【図１５】
2006214975.tif 000017